(57)【要約】【課題】  高信頼性の映像表示装置を提供する。【解決手段】  実施形態の映像表示装置は、表示パネルと、前記表示パネルの後面に前記表示パネルの長手方向に延びるように設けられ、第１開口部が設けられた第１取付部と、前記第１取付部に取付けられ、前記表示パネルの後面の一部を覆った第１カバーと、を備え、前記第１カバーは、第１取付部から外れた位置で前記長手方向と交差する方向に延びるように設けられた第１本体部と、前記本体部から前記長手方向に突出した第１突出部と、前記第１突出部から突出するとともに前記第１開口部に嵌る第１凸部と、を有する。【選択図】図１６
2014128010.tif 000002
【特許請求の範囲】
【請求項１】
表示パネルと、
前記表示パネルの後面に前記表示パネルの長手方向に延びるように設けられ、第１開口部が設けられた第１取付部と、
前記第１取付部に取付けられ、前記表示パネルの後面の一部を覆った第１カバーと、
を備え、
前記第１カバーは、
第１取付部から外れた位置で前記長手方向と交差する方向に延びるように設けられた第１本体部と、
前記第１本体部から前記長手方向に突出した第１突出部と、
前記第１突出部から突出するとともに前記第１開口部に嵌る第１凸部と、
を有する映像表示装置。
【請求項２】
前記第１取付部とは分離した位置で前記表示パネルの後面に前記長手方向に延びるように設けられ、第２開口部が設けられた第２取付部を備え、
前記第１カバーは、
前記第１本体部から前記長手方向に突出した第２突出部と、
前記第２突出部から突出するとともに前記第２開口部に嵌る第２凸部と、
を有する請求項１に記載の映像表示装置。
【請求項３】
前記表示パネルの後面の前記第１取付部と前記第２取付部との間の領域に設けられた回路基板と、
前記領域を覆った金属製の第２カバーと、
を備えた請求項２に記載の映像表示装置。
【請求項４】
前記第１カバーは、樹脂製であり、前記第１突出部および前記第２突出部は、前記領域の外側に設けられた請求項３に記載の映像表示装置。
【請求項５】
前記第１突出部に隣接して、前記領域の外側で前記長手方向に延びるように設けられた樹脂製の第３カバーを備え、
前記第１突出部と前記第３カバーとの間には、隙間が設けられた請求項４に記載の映像表示装置。
【請求項６】
前記第１突出部および第３カバーのいずれか一方は、段部と、前記段部から突出した重ね代部と、を有し、
前記第１突出部および第３カバーのいずれか他方は、前記重ね代部に重ねられる重なり部を有し、
前記段部と前記重なり部との間に前記隙間が設けられる請求項５に記載の映像表示装置。
【請求項７】
前記重ね代部には、前記重なり部と当接するように突出した複数のレール部が設けられる請求項６に記載の映像表示装置。
【請求項８】
前記第１カバーは、前記第２カバーと突き当てられる複数の小片を有する請求項７に記載の映像表示装置。
【請求項９】
前記第３カバーは、前記第２カバーと突き当てられる複数の小片を有する請求項８に記載の映像表示装置。
【請求項１０】
前記第１カバーを前記表示パネルに固定するための第１固定部材を有し、
前記第１本体部には、前記長手方向と交差する方向に長くなった第１孔が設けられ、前記第１孔内に前記第１固定部材が通される請求項９に記載の映像表示装置。
【請求項１１】
前記第３カバーを前記表示パネルに固定するための第３固定部材を有し、
前記第３カバーには、前記長手方向に長くなった第３孔が設けられ、前記第３孔内に前記第３固定部材が通される請求項１０に記載の映像表示装置。
【請求項１２】
前記第１取付部に設けられた第３開口部を備え、
前記第３カバーは、第３本体部と、前記第３本体部から突出するとともに前記第３開口部に嵌る凸部と、を有し、
前記長手方向における前記第３開口部の長さは、前記長手方向における前記凸部の長さよりも大きく、
前記凸部は、前記３カバーの熱膨張の前後で前記第３開口部内を移動できる請求項１１に記載の映像表示装置。
【請求項１３】
取付部が設けられた表示パネルと、
前記取付部に取付けられ、前記表示パネルの後面の外周部を覆った樹脂製の第１カバーと、
前記取付部に取付けられ、前記表示パネルの後面の中央部を覆った金属製の第２カバーと、
前記表示パネルの後面の中央部に設けられた回路基板と、
を備える映像表示装置。
【請求項１４】
取付部が設けられた表示パネルと、
前記取付部に取付けられ、前記表示パネルの後面を覆った樹脂製の第１カバーと、
前記第１カバーに取付けられた金属製の第２カバーと、
前記取付部に取付けられ、前記表示パネルの後面を覆った樹脂製の第３カバーと、
を備え、
前記第１カバーおよび第３カバーのいずれか一方は、段部と、前記段部から延びた重ね代部と、を有し、
前記第１カバーおよび第３カバーのいずれか他方は、前記重ね代部に重ねられる重なり部を有し、
前記段部と前記重なり部との間には前記隙間が設けられる映像表示装置。
【発明の詳細な説明】
【技術分野】
【０００１】
本発明の実施形態は、表示画面を有する映像表示装置に関する。
【背景技術】
【０００２】
薄型テレビ市場では、従前に比べて表示画面を大型化したものが主流となってきている。また、電子機器一般においては、衝撃に強く壊れにくいものに対するニーズがあり、そのようなニーズがあることは薄型テレビにおいても変わらない。
【先行技術文献】
【特許文献】
【０００３】
【特許文献１】特開２００５−１３０３２１号公報
【発明の概要】
【発明が解決しようとする課題】
【０００４】
本発明が解決しようとする課題は、高信頼性の映像表示装置を提供することである。
【課題を解決するための手段】
【０００５】
実施形態の映像表示装置は、表示パネルと、前記表示パネルの後面に前記表示パネルの長手方向に延びるように設けられ、第１開口部が設けられた第１取付部と、前記第１取付部に取付けられ、前記表示パネルの後面の一部を覆った第１カバーと、を備え、前記第１カバーは、第１取付部から外れた位置で前記長手方向と交差する方向に延びるように設けられた第１本体部と、前記本体部から前記長手方向に突出した第１突出部と、前記第１突出部から突出するとともに前記第１開口部に嵌る第１凸部と、を有する。
【図面の簡単な説明】
【０００６】
【図１】第１実施形態の電子機器の一例である映像表示装置を前方向から示した斜視図。
【図２】図１に示す映像表示装置を後方向から示した斜視図。
【図３】図２に示す映像表示装置のバックカバーを示した平面図。
【図４】図２に示すバックカバーの第２カバーを取り外した状態で示した平面図。
【図５】図４に示すバックカバーの第１カバー、第３カバー、第４カバーを分解して、内面側から示した斜視図。
【図６】図２に示す映像表示装置のバックカバーを取り外した状態で後方向から示した斜視図。
【図７】図６に示す映像表示装置の第１フレームの他方の第３開口部周りを拡大して示した斜視図。
【図８】図４に示す第３カバーの第３凸部（他方の第３開口部に対応する）周りを拡大して示す平面図。
【図９】図２に示す映像表示装置の他方の第３開口部とこれに嵌め込まれた第３凸部の周囲を拡大して示した平面図。
【図１０】図９に示す映像表示装置の第３開口部および第３凸部の、表示パネルの長手方向と交差する方向に沿った断面図。
【図１１】図６に示す映像表示装置の第１フレームの一方の第３開口部周りを拡大して示した斜視図。
【図１２】図４に示す第３カバーの第３凸部（一方の第３開口部に対応する）周りを拡大して示す平面図。
【図１３】図２に示す映像表示装置の一方の第３開口部とこれに嵌め込まれた第３凸部の周囲を拡大して示した平面図。
【図１４】図６に示す映像表示装置の第１フレームの第１開口部周りを拡大して示した斜視図。
【図１５】図４に示す第１カバーの第１凸部周りを拡大して示した平面図。
【図１６】図２に示す映像表示装置の第１開口部とこれに嵌め込まれた第１凸部の周囲を拡大して示した平面図。
【図１７】図２に示す映像表示装置の第２フレームおよび第２凸部の周囲を拡大して示した分解斜視図。
【図１８】図２に示す映像表示装置の重なり部、重複部、段部周りを拡大して示した斜視図。
【図１９】図１８に示す映像表示装置の重なり部、重複部、段部周りを拡大して示した平面図。
【図２０】図２に示す映像表示装置の第１カバーおよび第２カバー周りを拡大して示した斜視図。
【図２１】図２０に示すＦ２１−Ｆ２１線に沿った第１カバーおよび第２カバーの断面図。
【図２２】図４に示すバックカバーの第１孔および第３孔を拡大して示す平面図。
【図２３】第２実施形態の電子機器の一例である映像表示装置のバックカバーを示した斜視図。
【図２４】第３実施形態の電子機器の一例である映像表示装置の重なり部、重複部、段部周りを拡大して示した斜視図。
【発明を実施するための形態】
【０００７】
以下、図１から図２２を参照して、映像表示装置の第１実施形態について説明する。図１、図２に示すように、実施形態の映像表示装置（テレビジョン）は、電子機器の一例であり、略長方形の外観を有している。映像表示装置は、８４インチ等の大型の表示パネルを有している。以下の実施形態では、手前側（即ちユーザ側）を前方向Ｆ、ユーザから見て奥側を後方向Ｂ、ユーザから見て左側を左方向Ｌ、ユーザから見て右側を右方向Ｒ、ユーザから見て上方を上方向Ｕ、ユーザから見て下方を下方向Ｄと定義する。
【０００８】
映像表示装置１１は、表示パネル１２の長手方向Ｗにおける長さが、略２ｍ程度の長さを有している。図１、図２に示すように、映像表示装置１１は、表示画面をなしている平板状の表示パネル１２と、表示パネル１２の前方に設けられてその前方を覆ったマスク１３（フロントベゼル）と、表示パネル１２の後方に設けられて表示パネル１２の後方を覆ったバックカバー１４（カバー）と、表示パネル１２を支持するスタンド１５（支持部）と、を備えている。
【０００９】
表示パネル１２は、一体型の表示ユニットであり、液晶セル、バックライト用の光源、光源の光を液晶セル全体に行き渡らせるように案内する導光板と、導光板からの光を拡散させる各種の光学シートと、導光板の後ろ方向に照射された光源の光を液晶セル側に反射する反射シートと、を内蔵している。なお、表示パネル１２は、液晶パネルに限定されるものではなく、例えばプラズマディスプレイパネル、有機ＥＬ、プラスチックディスプレイパネル、シートディスプレイパネル等、他の種類のディスプレイパネルであってもよい。
【００１０】
スタンド１５は、略方形で平板状（枠状）をなして設置面上に載置されたスタンド本体１６と、スタンド本体１６から延びて表示パネル１２を支持した一対の棒状の脚部１７と、を有している。
【００１１】
マスク１３は、枠状（額縁状）に設けられており、中央部に設けられた開口によって表示パネル１２を外部に露出させている。マスク１３およびバックカバー１４によって、映像表示装置１１の筐体１８が構成されている。
【００１２】
図１、図２、図６に示すように、映像表示装置１１は、表示パネル１２の後面に取付けられた第１フレーム２１（第１取付部）と、表示パネル１２の後面に取付けられた第２フレーム２２（第２取付部）と、表示パネル１２の後面に取付けられた複数の第３フレーム２３（第３取付部）と、表示パネル１２の後面に取付けられたシステム基板２４（回路基板）、表示パネル１２の後面に取付けられたチューナ基板２５と、表示パネル１２の後面に取付けられた電源回路基板２６と、スピーカ２７と、バックカバー１４の第１カバー４１を表示パネル１２に固定する第１固定部材３１と、バックカバー１４の第２カバー４２を表示パネル１２に固定する第２固定部材３２と、バックカバー１４の第３カバー４３を表示パネル１２に固定する第３固定部材３３と、を備えている。
【００１３】
第１固定部材３１、第２固定部材３２、第３固定部材３３のそれぞれは、例えば、ねじで構成されている。システム基板２４（回路基板）および電源回路基板２６は、第１フレーム２１と第２フレーム２２との間の領域Ａ内、すなわち表示パネル１２の後面の中央部に設けられている。
【００１４】
図６、図７、図１０、図１１、図１４に示すように、第１フレーム２１（第１取付部）は、平板状の金属板（例えば、鉄板）を断面略「Ｃ」字形或いは「Ｕ」字形に折り曲げて形成されている。第１フレーム２１は、表示パネル１２の長手方向Ｗ（横方向、左右方向、水平方向）に延びており、表示パネル１２の長手方向Ｗにおける長さよりも小さい長さを有している。第１フレーム２１は、表示パネル１２の中央部に寄って設けられている。第１フレーム２１は、その両端部の近傍に設けられた一対の方形の第１開口部３４と、中央部の近傍に設けられた複数（例えば、３個）の方形の第３開口部３６と、を有している。
【００１５】
一方の第３開口部３６の長手方向Ｗにおける長さは、第３カバー４３の第３凸部６４の長手方向Ｗにおける長さよりも大きくなっている（例えば、第３凸部６４の長手方向Ｗにおける長さの１．５倍から２倍程度）（図１３参照）。他方の第３開口部３６の長手方向Ｗにおける長さは、若干の隙間を有するものの、ほぼ第３凸部６４の長手方向Ｗにおける長さと同等の長さで構成されている（図９参照）。
【００１６】
図６、図１７に示すように、第２フレーム２２（第２取付部）は、金属板（例えば、鉄板）によって細長い平板状に設けられている。第２フレーム２２は、第１フレーム２１とは分離して、長手方向Ｗに延びるように設けられている。すなわち、第２フレーム２２は、第１フレーム２１とは平行に設けられている。第２フレーム２２は、複数（例えば、２個）の方形の第２開口部３５を有している。第１フレーム２１および第２フレーム２２は、バックカバー１４を含む各種の部品の取り付け部分を構成するだけでなく、表示パネル１２が撓んでしまうことを防止する補強部材としても機能する。
【００１７】
図６に示すように、第３フレーム２３のそれぞれは、長手方向Ｗと交差する方向Ｓ（縦方向、上下方向、鉛直方向）に延びるように設けられている。本実施形態では、第３フレーム２３は、計４個で構成されている。第３フレーム２３は、平板状の金属板（例えば、鉄板）を所望の形状に折り曲げられて形成されている。第３フレーム２３は、表示パネル１２の後面に設けられて、各種の部品の取り付け部分を構成するだけでなく、表示パネル１２が撓んでしまうことを防止する補強部材としても機能する。
【００１８】
図３−図５に示すように、バックカバー１４は、表示パネル１２の後面で各角部に対応する位置（表示パネル１２の外周部）を覆った複数の第１カバー４１と、表示パネル１２の後面の中央部を覆った第２カバー４２と、第１カバー４１同士の間の位置で第１突出部４６に隣接して設けられた第３カバー４３と、スタンド１５の一対の脚部１７の間の位置（表示パネル１２の外周部）に設けられた第４カバー４４と、を含んでいる。第４カバー４４は、例えば合成樹脂材料によって方形板状に形成されている。
【００１９】
本実施形態において、第１カバー４１は、２個で構成されている。第１カバー４１のそれぞれは、例えば合成樹脂材料によって、略「Ｃ」字状をなすように一体に成形されている。なお、図４中に示される右側の第１カバー４１と左側の第１カバー４１とは、一部形状を除いて略同じ構成を有している。各第１カバー４１は、第１フレーム２１と第２フレーム２２とに取付けられている。
【００２０】
図４、図５、図２２に示すように、第１カバー４１のそれぞれは、長手方向Ｗと交差する方向Ｓに延びた第１本体部４５と、第１本体部４５の一方の端部（上端）から長手方向Ｗに突出した第１突出部４６と、第１突出部４６から第１フレーム２１に近づく方向（長手方向Ｗと交差する方向Ｓ）に突出した第１凸部４７と（図１６参照）、第１突出部４６に設けられて第３カバー４３の重複部に重なる重なり部４８と、第１本体部４５の他方の端部（下端）から長手方向Ｗに突出した第２突出部５１と、第２突出部５１から第２フレーム２２に近づく方向（前方向）に突出した第２凸部５２（図１７参照）と、を有している。なお、図２２に示すように、第１本体部４５と第１突出部４６との境界、および第１本体部４５と第２突出部５１との境界は、第１カバー４１の内周部分８１を長手方向Ｗと交差する方向Ｓに延長した線で構成されている。また、第１突出部４６および第２突出部５１のそれぞれは、この内周部分８１を長手方向Ｗと交差する方向Ｓに延長した線から、長手方向Ｗに突出する。
【００２１】
図１６に示すように、第１本体部４５は、第１フレーム２１から外れた位置に設けられている。第１凸部４７は、第１開口部３４内に嵌ることができる。図１７に示すように、第２凸部５２は、第２開口部３５内に嵌ることができる。第１突出部４６および第２突出部５１は、前記領域Ａの外側に設けられている。
【００２２】
図３、図４に示すように、第１カバー４１のそれぞれは、第１固定部材３１を通すための複数の第１孔５３と、第１カバー４１の内周部に設けられ第２カバー４２が取り付けられる第１溝部５４と、第１溝部５４よりも内側に設けられて第２カバー４２を支持する第１支持部５５と、第１支持部５５から突出するように設けられて第２カバー４２に突き当てられた複数の第１小片５６（図１６参照）と、を有している。
【００２３】
図２２等に示すように、第１本体部４５に設けられた第１孔５３は、長手方向Ｗと交差する方向Ｓに長い長円形に形成されている。一方、第１突出部４６に設けられた第１孔５３は、長手方向Ｗに長い長円形に形成されている（図４参照）。図４に示すように、第１突出部４６に設けられた第１孔５３は、第３カバー４３に極力寄せて設けられており、この第１孔５３およびこれに通される第１固定部材３１によって第３カバー４３が浮き上がることを防止している（浮き上がり防止構造）。第１突出部４６には、筐体１８の内部で温められた空気を外部に排出するための複数の通気孔５７が設けられている。第１突出部４６の内面には、複数の補強用のリブ７４が設けられている。
【００２４】
図３、図２１に示すように、第２カバー４２は、例えば鉄等の金属材料によって略平板状に設けられている。第２カバー４２の外周部には、第１カバー４１および第３カバー４３に設けられた溝部内に嵌り込むように、断面円形に折り曲げられた折曲部５８が設けられている。第２カバー４２は、第２本体部６１と、第２本体部６１に設けられ第２固定部材３２を通すことができる複数の第２孔６２を有する。
【００２５】
図３に示すように、第２カバー４２は、第１フレーム２１と第２フレーム２２との間の領域Ａを覆っている。第２カバー４２は、第１フレーム２１と第２フレーム２２との間の領域Ａを電磁波的に遮断して、当該領域Ａ内にあるシステム基板２４、電源回路基板２６等から照射される電磁波が外部に漏れ出すことを防止している。このため、第２カバー４２は、領域Ａを覆う電磁波のシールドとして機能する。すなわち、表示パネル１２の金属製のケース、第２カバー４２、第１フレーム２１、第２フレーム２２、および第３フレーム２３によって、電磁波の漏出を防止するシールドケースが構成されており、領域Ａは、このシールドケースによって取り囲まれている。
【００２６】
図４、図５に示すように、第３カバー４３は、例えば合成樹脂材料によって、略長方形の板状に形成されている。第３カバー４３は、第１フレーム２１に取付けられている。第３カバー４３は、領域Ａの外側に配置されている。図１８に示すように、第３カバー４３は、例えば、後方に向けて凸になるような円弧状をなしている。
【００２７】
図４、図５、図８、図１０、図１２に示すように、第３カバー４３は、長手方向Ｗに延びた第３本体部６３と、第３本体部６３から第１フレーム２１に近づく方向（長手方向Ｗと交差する方向Ｓ）に突出した第３凸部６４（凸部）と（図９、図１３参照）、を有している。図９、図１３に示すように、第３凸部６４は、第３開口部３６内に嵌ることができる。また、第３凸部６４は、第３開口部３６内に嵌ることができる。第３凸部６４は、一方の第３開口部３６内において、第３カバー４３の熱膨張の前後で長手方向Ｗ沿ってスライド移動できる（図１３参照）。
【００２８】
図４、図１８等に示すように、第３カバー４３は、第３本体部６３の第１カバー４１に隣接した位置に設けられた段部６５と、段部６５から第１カバー４１に近づく方向に突出した重ね代部６６と、重ね代部６６上に設けられ重なり部４８に向けて突出した複数のレール部６７と、第３固定部材３３を通すための複数の第３孔６８と、第１カバー４１の内周部に設けられ第２カバー４２が取り付けられる第３溝部７１と、第３溝部７１よりも内側に設けられて第２カバー４２を支持する第３支持部７２と、第３支持部７２から突出するように設けられて第２カバー４２に突き当てられた複数の第３小片７３と、を有している。
【００２９】
第３本体部６３には、筐体１８の内部で温められた空気を外部に排出するための複数の通気孔５７が設けられている。第３カバー４３は、各レール部６７を介して、第１カバー４１の重なり部４８に対して当接している。図２２に示すように、第３孔６８は、長手方向Ｗに長い長円形に形成されている。
【００３０】
図５に示すように、第３カバー４３の内面側には、第３カバー４３の第３本体部６３よりも薄肉で形成された複数の補強用のリブ７４が設けられている。なお、成形後の樹脂の硬化速度の違い（薄肉の補強用のリブ７４が先に硬化し、厚肉の第３本体部６３が遅れて硬化する）によって、第３カバー４３の両端部が浮き上がるように反って成形される傾向がある。このため、上記した浮き上がり防止構造が有効に機能する。
【００３１】
図１８に示すように、第１カバー４１の重なり部４８と第３カバー４３の段部６５との間には、隙間７５が設けられている。通常の状態では、重なり部４８の端面４８Ａは、図１９において実線で示す位置にあり、重なり部４８の端面と段部６５との間の隙間７５は、例えば１．５ｍｍに設定されている。そして、映像表示装置１１が稼働して、第１カバー４１および第３カバー４３が長手方向Ｗに熱で膨張した場合には、図１９に２点鎖線で示すように、重なり部４８の端面４８Ａは、段部６５に対して当接される。逆に、映像表示装置１１が設置される室内の温度が下がって、第１カバー４１および第３カバー４３が長手方向Ｗに収縮した場合には、図１９に２点鎖線で示すように、重なり部４８の端面４８Ａと段部６５との間に、通常の状態よりも大きい隙間７５が形成される（例えば、３ｍｍ）。なお、このように第１カバー４１および第３カバー４３が収縮した場合でも、レール部６７や映像表示装置１１の内部が外部に露出されることがなく、体裁が良好に維持される。
【００３２】
本実施形態の映像表示装置１１の組立工程について説明する。本実施形態の映像表示装置１１は、表示パネル１２が起立した状態で組み立てられる。すなわち、表示パネル１２にはスタンド１５が取り付けられており、表示パネル１２は自立している。表示パネル１２の前面には、所定の手段でマスク１３を固定する。また、表示パネル１２の後面には、予め第１フレーム２１、第２フレーム２２、および第３フレーム２３が取り付けられている。まず、表示パネル１２の後面に、システム基板２４、チューナ基板２５、電源回路基板２６をねじ等の固定手段で取り付ける。特に、システム基板２４、電源回路基板２６は、第１フレーム２１と第２フレーム２２との間の領域Ａ内に固定する。なお、チューナ基板２５には、予め電磁波の漏えいを防止するためのシールド構造が設けられる。
【００３３】
そして、例えば、第１フレーム２１の第３開口部３６に対して第３カバー４３の第３凸部６４を差し込んで、第１フレーム２１に対して第３カバー４３を仮止めする（図９、図１３参照）。さらに、第１フレーム２１の第１開口部３４に対して第１カバー４１の第１凸部４７を差し込んで、第１フレーム２１に対して第１カバー４１の第１突出部４６を仮止めする（図１６参照）。このままの状態では、第１カバー４１が第１凸部４７を中心に回転しようとするため、第２フレーム２２の第２開口部３５に対して第１カバー４１の第２凸部５２を差し込むようにする（図１７参照）。こうして、第１カバー４１が上下（両端）の２箇所で保持されるため、第１カバー４１が回転することなく第１フレーム２１および第２フレーム２２に仮固定される。そして、図２に示すように、第１固定部材３１によって第１カバー４１を表示パネル１２に固定し、第２固定部材３２によって第３カバー４３を表示パネル１２に固定する。さらにねじ等の固定手段によって第４カバー４４を表示パネル１２に固定する。最後に第１カバー４１の第１溝部５４、第３カバー４３の第３溝部７１、および第４カバー４４の溝部に対して第２カバー４２の折曲部５８を差し込んで、第１カバー４１、第３カバー４３、第４カバー４４に対して第２カバー４２を仮止めする。この状態で、第２固定部材３２によって第２カバー４２を表示パネル１２に固定して、映像表示装置１１が完成する。なお、この状態では、領域Ａは、第２カバー４２によって、電磁波の漏出が防がれた状態となっている。
【００３４】
第１実施形態によれば、映像表示装置１１は、表示パネル１２と、表示パネル１２の後面に表示パネル１２の長手方向Ｗに延びるように設けられ、第１開口部３４が設けられた第１取付部と、前記第１取付部に取付けられ、表示パネル１２の後面の一部を覆った第１カバー４１と、を備え、第１カバー４１は、第１取付部から外れた位置で長手方向Ｗと交差する方向に延びるように設けられた第１本体部４５と、第１本体部４５から長手方向Ｗに突出した第１突出部４６と、第１突出部４６から突出するとともに第１開口部３４に嵌る第１凸部４７と、を有する。
【００３５】
この構成によれば、第１本体部４５が第１取付部から外れた位置で長手方向Ｗと交差する方向Ｓに延びているため、組み立て作業時に第１凸部４７と第１開口部３４とを目視できるだけでなく、第１凸部４７を利用して第１取付部に対して第１カバー４１を仮止めすることができ、作業性を良好にすることができる。
【００３６】
映像表示装置１１は、前記第１取付部とは分離した位置で表示パネル１２の後面に長手方向Ｗに延びるように設けられ、第２開口部３５が設けられた第２取付部を備え、第１カバー４１は、第１本体部４５から長手方向Ｗに突出した第２突出部５１と、第２突出部５１から突出するとともに第２開口部３５に嵌る第２凸部５２と、を有する。
【００３７】
この構成によれば、第１凸部４７を利用して第１取付部に第１カバー４１を仮止めする際に、第１カバー４１が第１凸部４７を中心に回転してしまうことを防止することができる。このため、上記仮止めの際に第１カバー４１を安定させることができ、本固定等をする際の作業性を向上できる。
【００３８】
映像表示装置１１は、表示パネル１２の後面の前記第１取付部と前記第２取付部との間の領域Ａに設けられた回路基板と、領域Ａを覆った金属製の第２カバー４２と、を備えた。この構成によれば、第２カバー４２によって電磁波のシールドを構成することができ、回路基板から発生した電磁波が周囲に漏れ出すことを防止することができる。
【００３９】
第１カバー４１は、樹脂製であり、第１突出部４６および第２突出部５１は、領域Ａの外側に設けられる。この構成によれば、裏面のいわゆる外周部の領域に樹脂製の第１カバー４１を配置することができる。これによって、樹脂によって細かな形状（通気孔５７や補強用のリブ７４、第１凸部４７等）を作りこむことができるとともに、当該細かな形状を作りこんだ第１カバー４１を表示パネル１２の外周部の領域に配置できる。これによって、第１カバー４１の機能性を向上することができる。
【００４０】
映像表示装置１１は、第１突出部４６に隣接して、領域Ａの外側で長手方向Ｗに延びるように設けられた樹脂製の第３カバー４３を備え、第１突出部４６と第３カバー４３との間には、隙間７５が設けられた。この構成によれば、第１カバー４１および第３カバー４３が熱膨張した際に、第１カバー４１と第３カバー４３とが突き当たって、これらが盛り上がるように変形してしまうことを防止できる。
【００４１】
映像表示装置１１は、第１突出部４６および第３カバー４３のいずれか一方は、段部６５と、段部６５から突出した重ね代部６６と、を有し、第１突出部４６および第３カバー４３のいずれか他方は、重ね代部６６に重ねられる重なり部４８を有し、段部６５と重なり部４８との間に隙間７５が設けられる。この構成によれば、重ね代部６６が覆われた位置に隙間７５が設けられるため、当該隙間７５の位置で映像表示装置１１の内部構造が見えてしまうことがなく、体裁を良好にできる。
【００４２】
重ね代部６６には、重なり部４８と当接するように突出した複数のレール部６７が設けられる。この構成によれば、熱膨張時に重ね代部６６と重なり部４８との間に生ずる摩擦力を低減して、第１カバー４１および第３カバー４３の熱膨張を円滑にできる。また、各レール部６７において点で接触させることができるので、重なり部４８（特に、その内面）の成形精度の厳密性を緩和して低コスト化を図ることができる。
【００４３】
第１カバー４１は、第２カバー４２と突き当てられる複数の小片を有する。また、第３カバー４３は、第２カバー４２と突き当てられる複数の小片を有する。これらの構成によれば、第１カバー４１および第３カバー４３に対して第２カバー４２を点で接触させることができる。これによって、スピーカ２７等によって発生した第１カバー４１および第３カバー４３の振動が第２カバー４２側に伝達され、第２カバー４２において継続的に振動を生じてしまうことを防止できる。
【００４４】
映像表示装置１１は、第１カバー４１を表示パネル１２に固定するための第１固定部材３１を有し、第１本体部４５には、長手方向Ｗと交差する方向に長くなった第１孔５３が設けられ、第１孔５３内に第１固定部材３１が通される。同様に、映像表示装置１１は、第３カバー４３を表示パネル１２に固定するための第３固定部材３３を有し、第３カバー４３には、長手方向Ｗに長くなった第３孔６８が設けられ、第３孔６８内に第３固定部材３３が通される。
【００４５】
これらの構成によれば、映像表示装置１１が稼働中に、第１カバー４１が熱膨張した際に、第１カバー４１の割れを防止することができる。
【００４６】
映像表示装置１１は、前記第１取付部に設けられた第３開口部３６を備え、第３カバー４３は、第３本体部６３と、第３本体部６３から突出するとともに第３開口部３６に嵌る第３凸部６４と、を有し、長手方向Ｗにおける第３開口部３６の長さは、長手方向Ｗにおける第３凸部６４の長さよりも大きく、第３凸部６４は、第３カバー４３の熱膨張の前後で第３開口部３６内を移動できる。
【００４７】
この構成によれば、第３カバー４３が熱膨張した際に第３凸部６４の移動を許容することができ、第３カバー４３の浮き上がりや変形を防止できる。
【００４８】
映像表示装置１１は、取付部が設けられた表示パネル１２と、取付部に取付けられ、表示パネル１２の後面の外周部を覆った樹脂製の第１カバー４１と、前記取付部に取付けられ、表示パネル１２の後面の中央部を覆った金属製の第２カバー４２と、表示パネル１２の後面の中央部に設けられた回路基板と、を備える。
【００４９】
この構成によれば、金属製の第２カバー４２によって、電磁波のシールドを構成することができ、回路基板から発生した電磁波が外部に漏れ出すことを防止できる。また、樹脂製の第１カバー４１を外周部側に配置することができ、樹脂によって細かな形状（通気孔５７や補強用のリブ７４、各種の凸部等）を作りこむことができる。これによって、第１カバー４１の機能性を向上することができる。
【００５０】
映像表示装置１１は、取付部が設けられた表示パネル１２と、前記取付部に取付けられ、表示パネル１２の後面を覆った樹脂製の第１カバー４１と、前記取付部に取付けられ、表示パネル１２の後面を覆った樹脂製の第３カバー４３と、を備え、第１カバー４１および第３カバー４３のいずれか一方は、段部６５と、段部６５から延びた重ね代部６６と、を有し、第１カバー４１および第３カバー４３のいずれか他方は、重ね代部６６に重ねられる重なり部４８を有し、段部６５と重なり部４８との間には隙間７５が設けられる。
【００５１】
この構成によれば、第１カバー４１および第３カバー４３が熱膨張した際に、第１カバー４１と第３カバー４３とが突き当たって、これらが盛り上がるように変形してしまうことを防止できる。また、重ね代部６６が覆われた位置に隙間７５が設けられるため、当該隙間７５の位置で映像表示装置１１の内部構造が見えてしまうことがなく、体裁を良好にできる。
【００５２】
続いて、図２３を参照して、電子機器の第２実施形態について説明する。第２実施形態の電子機器の一例である映像表示装置１１は、第３カバー４３および第４カバー４４を有しない点およびスタンド１５の脚部１７が１個で構成される点で第１の実施形態のものと異なっているが、他の部分は第１実施形態と共通している。このため、主として第１実施形態と異なる部分について説明し、共通する部分については図示或いは説明を省略する。
【００５３】
第２実施形態の映像表示装置１１は、第１実施形態よりも小型のモデルであり、例えば６５インチ程度の表示パネル１２を搭載している。
【００５４】
本実施形態において、第１カバー４１は、２個で構成されている。第１カバー４１のそれぞれは、合成樹脂材料によって、略「Ｃ」字状をなすように一体に成形されている。
【００５５】
第１カバー４１のそれぞれは、長手方向と交差する方向Ｓに延びた第１本体部４５と、第１本体部４５の一方の端部（上端）から長手方向Ｗに突出した第１突出部４６と、第１突出部４６から第１フレーム２１に近づく方向（長手方向Ｗと交差する方向Ｓ）に突出した第１凸部４７と、第１本体部４５の他方の端部（下端）から長手方向Ｗに突出した第２突出部５１と、第２突出部５１から第２フレーム２２に近づく方向（前方向）に突出した第２凸部５２と、を有している。
【００５６】
第１カバー４１のそれぞれは、第１固定部材３１を通すための複数の第１孔５３と、第１カバー４１の内周部に設けられ第２カバー４２が取り付けられる第１溝部５４と、第１溝部５４よりも内側に設けられて第２カバー４２を支持する第１支持部５５と、第１支持部５５から突出するように設けられて第２カバー４２に当接した複数の第１小片５６と、を有している。
【００５７】
一方の第１カバー４１の第１突出部４６には、他方の第１カバー４１の重ね代部６６に重なる重なり部４８が設けられている。他方の第１カバー４１の第１突出部４６には、一方の第１カバー４１に隣接した位置に設けられた段部６５と、段部６５から一方の第１カバー４１に近づく方向に突出した重ね代部６６と、重ね代部６６上に設けられ重なり部４８に向けて突出した複数のレール部６７と、が設けられている。
【００５８】
重なり部４８と段部６５との間には、隙間７５が設けられているが、隙間７５の寸法等の条件は第１実施形態と同様である。
【００５９】
第２実施形態によれば、第３カバー４３を設けない場合であっても、組み立て作業時に第１凸部４７と第１開口部３４とを目視できるだけでなく、第１凸部４７を利用して第１取付部に対して第１カバー４１を仮止めすることができ、作業性を良好にすることができる。また、２個の第１カバー４１が熱膨張した際に、第１カバー４１同士が突き当たって、これらが盛り上がるように変形してしまうことを防止できる。
【００６０】
続いて、図２４を参照して、電子機器の第３実施形態について説明する。第２実施形態の電子機器の一例である映像表示装置１１は、第１カバー４１に段部６５および重ね代部６６が設けられる点、第３カバー４３に重なり部４８が設けられる点で第１の実施形態のものと異なっている。しかしながら、それ以外の部分は第１実施形態と共通している。そして、第１カバー４１の重なり部４８と第３カバー４３の段部６５との間には、隙間７５が設けられている。当該隙間７５の寸法等の条件は第１実施形態と同様である。
【００６１】
第３実施形態によれば、第１カバー４１側に段部６５および重ね代部６６を設け、第３カバー４３側に重なり部４８を設けたとしても、第１実施形態と同様の作用効果を発揮させることができる。
【００６２】
なお、映像表示装置１１（電子機器）は、上記実施形態そのままに限定されるものではなく、実施段階ではその要旨を逸脱しない範囲で構成要素を変形して具体化できる。さらに、上記実施形態に開示されている複数の構成要素の適宜な組み合わせにより種々の発明を形成できる。例えば、実施形態に示される全構成要素から幾つかの構成要素を削除してもよい。更に、異なる実施形態に亘る構成要素を適宜組み合わせてもよい。
【符号の説明】
【００６３】
１１…映像表示装置、１２…表示パネル、１４…バックカバー、２１…第１フレーム、２２…第２フレーム、２４…システム基板、３１…第１固定部材、３３…第３固定部材、３４…第１開口部、３５…第２開口部、３６…第３開口部、４１…第１カバー、４２…第２カバー、４３…第３カバー、４５…第１本体部、４６…第１突出部、４７…第１凸部、４８…重なり部、５１…第２突出部、５２…第２凸部、５３…第１孔、５６…第１小片、６３…第３本体部、６４…第３凸部、６５…段部、６６…重ね代部、６７…レール部、６８…第３孔、７３…第３小片、７５…隙間、Ｗ…長手方向、Ｓ…長手方向Ｗと交差する方向、Ａ…領域
【図１】
2014128010.tif 000003
【図２】
2014128010.tif 000004
【図３】
2014128010.tif 000005
【図４】
2014128010.tif 000006
【図５】
2014128010.tif 000007
【図６】
2014128010.tif 000008
【図７】
2014128010.tif 000009
【図８】
2014128010.tif 000010
【図９】
2014128010.tif 000011
【図１０】
2014128010.tif 000012
【図１１】
2014128010.tif 000013
【図１２】
2014128010.tif 000014
【図１３】
2014128010.tif 000015
【図１４】
2014128010.tif 000016
【図１５】
2014128010.tif 000017
【図１６】
2014128010.tif 000018
【図１７】
2014128010.tif 000019
【図１８】
2014128010.tif 000020
【図１９】
2014128010.tif 000021
【図２０】
2014128010.tif 000022
【図２１】
2014128010.tif 000023
【図２２】
2014128010.tif 000024
【図２３】
2014128010.tif 000025
【図２４】
2014128010.tif 000026